(57)【要約】【課題】  磁気ヘッドによる記録再生性能を維持する。【解決手段】  磁気ディスクドライブ装置は、ドライブユニット、カバーを備え、ディスク板にデータの記録再生を行う。ドライブユニットは、サスペンションアーム、クリーニング部材１４を備える。サスペンションアームは、先端部に磁気ヘッド１２が取り付けられた上ロードビーム及び下ロードビームを備える。磁気ヘッド１２は、ヘッド本体２１、スライダ２２を備える。スライダ２２に、対向面２２ａ、角度θ１で傾斜された傾斜面２２ｂを形成する。クリーニング部材１４に、第１クリーニング部１４ａ、第２クリーニング部１４ｂを形成する。第１クリーニング部１４ａに、第１クリーニング面１４ｃを形成する。第２クリーニング部に、入口では角度θ２で傾斜し、出口では角角度θ３で傾斜した導入面１４ｄ、角度θ３で傾斜した第２クリーニング面１４ｅを形成する。【選択図】        図７
2006302412.tif 000002
【特許請求の範囲】
【請求項１】
１方向に回転する磁気ディスクにデータの記録再生を行う記録再生位置と退避した退避位置との間で移動する磁気ヘッドと、
前記退避位置に位置する前記磁気ヘッドをクリーニングするクリーニング部材と、を有し、
前記磁気ヘッドは、前記磁気ディスクに対向する記録再生面を有し前記データの記録再生を行うヘッド本体と、前記ヘッド本体が取り付けられ、前記磁気ディスクに対向する対向面及びこの対向面に対して前記磁気ディスクとの隙間が大きくなるように傾斜された傾斜面が形成されたスライダと、を備えた磁気ディスクドライブ装置において、
前記クリーニング部材は、前記ヘッド本体の記録再生面及び前記対向面に接触してクリーニングする第１クリーニング部と、前記傾斜面に接触してクリーニングする第２クリーニング部と、を備えたことを特徴とする磁気ディスクドライブ装置。
【請求項２】
前記第１クリーニング部は、前記記録再生面及び前記対向面に略平行な第１クリーニング面を備え、
前記第２クリーニング部は、前記記録再生位置から前記退避位置に向かう方向において、前記傾斜面よりも小さい傾斜の入口から次第に傾斜して出口で前記傾斜面以上の傾斜になるように形成された導入面と、前記導入面の出口に連続して形成された第２クリーニング面と、を備えたことを特徴とする請求項１記載の磁気ディスクドライブ装置。
【請求項３】
前記第２クリーニング面を、前記傾斜面の全面に接触可能なサイズで形成したことを特徴とする請求項２記載の磁気ディスクドライブ装置。
【請求項４】
前記傾斜面を、前記磁気ディスクの回転方向における前記スライダの入口側に形成したことを特徴とする請求項１ないし３いずれか１つ記載の磁気ディスクドライブ装置。
【請求項５】
前記ヘッド本体を、前記磁気ディスクの回転方向における前記スライダの出口側に取り付けたことを特徴とする請求項１ないし４いずれか１つ記載の磁気ディスクドライブ装置。
【発明の詳細な説明】
【技術分野】
【０００１】
本発明は、磁気ディスクドライブ装置に関し、さらに詳しくは磁気ヘッドのクリーニングに関するものである。
【背景技術】
【０００２】
磁気ディスクドライブ装置は、回転する磁気ディスクに磁気ヘッドによりデータの記録再生を行う。近年の磁気ディスクドライブ装置では、記録密度が高くなり、それに伴い磁気ディスクと磁気ヘッドとの隙間を小さく（例えば、１５ｎｍ程度）する必要がある。磁気ディスクと磁気ヘッドとの隙間が１５ｎｍの場合には、磁気ディスクの面振れ等により、磁気ディスクと磁気ヘッドとが接触することがある。接触した場合には、磁気ヘッドに汚れが付着し、磁気ヘッドによる記録再生性能が悪化するという問題があった。磁気ヘッドは、ヘッド本体と、このヘッド本体が取り付けられるスライダとを備え、スライダには、磁気ディスクに対向する対向面と、この対向面に対して磁気ディスクとの隙間が大きくなるように傾斜された傾斜面とが形成されている。傾斜面は、磁気ディスクと磁気ヘッドとの間に空気の流れを形成するための空気の導入口となる。
【０００３】
上記した磁気ヘッドへの汚れの付着を解決するために、磁気ヘッドが磁気ディスクから退避した退避位置に移動したときに、クリーニングパッドにより磁気ヘッドのスライダをクリーニングしている（例えば、特許文献１参照）。
【特許文献１】米国特許第５７６８０５９号明細書（ＦＩＧ．５）
【発明の開示】
【発明が解決しようとする課題】
【０００４】
しかしながら、特許文献１では、クリーニングパッドは平面形状であり、スライダの対向面をクリーニングすることはできるが、スライダの傾斜面をクリーニングすることができないという問題があった。スライダの傾斜面に汚れが付着した状態のままでは、磁気ディスクと磁気ヘッドとの間の空気の流れが変動するため、磁気ヘッドによる記録再生性能が悪化するという問題があった。
【０００５】
本発明は、上記課題を解決するためになされたものであり、ヘッド本体、スライダの対向面及び傾斜面をクリーニングすることができ、磁気ヘッドによる記録再生性能を維持することができる磁気ディスクドライブ装置を提供することを目的とする。
【課題を解決するための手段】
【０００６】
上記目的を達成するために、本発明の磁気ディスクドライブ装置は、１方向に回転する磁気ディスクにデータの記録再生を行う記録再生位置と退避した退避位置との間で移動する磁気ヘッドと；前記退避位置に位置する前記磁気ヘッドをクリーニングするクリーニング部材と；を有し、前記磁気ヘッドは、前記磁気ディスクに対向する記録再生面を有し前記データの記録再生を行うヘッド本体と、前記ヘッド本体が取り付けられ、前記磁気ディスクに対向する対向面及びこの対向面に対して前記磁気ディスクとの隙間が大きくなるように傾斜された傾斜面が形成されたスライダと、を備えた磁気ディスクドライブ装置において、前記クリーニング部材は、前記ヘッド本体の記録再生面及び前記対向面に接触してクリーニングする第１クリーニング部と、前記傾斜面に接触してクリーニングする第２クリーニング部と、を備えたことを特徴とする。なお、記録密度１Ｇｂ／ｉｎ2以上であることが好ましい。また、前記傾斜面の傾斜角度としては、１°程度が好適である。さらに、前記クリーニング部材の素材としては、織布、不織布、高分子ポリエステルシート等が挙げられる。
【０００７】
なお、前記第１クリーニング部は、前記記録再生面及び前記対向面に略平行な第１クリーニング面を備え、前記第２クリーニング部は、前記記録再生位置から前記退避位置に向かう方向において、前記傾斜面よりも小さい傾斜の入口から次第に傾斜して出口で前記傾斜面以上の傾斜になるように形成された導入面と、前記導入面の出口に連続して形成された第２クリーニング面と、を備えるが好ましい。なお、前記導入面は、入口が０°〜０．８°程度、出口が１°〜１．２°程度が好適である。
【０００８】
また、前記第２クリーニング面を、前記傾斜面の全面に接触可能なサイズで形成することが好ましい。さらに、前記傾斜面を、前記磁気ディスクの回転方向における前記スライダの入口側に形成することが好ましい。また、前記ヘッド本体を、前記磁気ディスクの回転方向における前記スライダの出口側に取り付けることが好ましい。
【発明の効果】
【０００９】
本発明の磁気ディスクドライブ装置によれば、１方向に回転する磁気ディスクにデータの記録再生を行う記録再生位置と退避した退避位置との間で移動する磁気ヘッドと；退避位置に位置する磁気ヘッドをクリーニングするクリーニング部材と；を有し、磁気ヘッドは、磁気ディスクに対向する記録再生面を有しデータの記録再生を行うヘッド本体と、ヘッド本体が取り付けられ、磁気ディスクに対向する対向面及びこの対向面に対して磁気ディスクとの隙間が大きくなるように傾斜された傾斜面が形成されたスライダと、を備え、クリーニング部材は、ヘッド本体の記録再生面及び対向面に接触してクリーニングする第１クリーニング部と、傾斜面に接触してクリーニングする第２クリーニング部と、を備えたため、磁気ヘッドの記録再生面、対向面及び傾斜面に付着した汚れをクリーニング部材により確実に除去することができるため、磁気ヘッドによる記録再生性能を維持することができる。なお、本発明は、磁気ディスクが、ＰＥＴ（ポリエチレンテレフタレート）やＰＥＮ（ポリエチレンナフタレート）等の高分子から構成され、可撓性支持体であるフレキシブルディスクの場合において、特に効果がある。
【００１０】
また、第１クリーニング部は、記録再生面及び対向面に略平行な第１クリーニング面を備え、第２クリーニング部は、記録再生位置から退避位置に向かう方向において、傾斜面よりも小さい傾斜の入口から次第に傾斜して出口で傾斜面以上の傾斜になるように形成された導入面と、導入面の出口に連続して形成された第２クリーニング面と、を備えたため、より一層確実に、磁気ヘッド、特に傾斜面に付着した汚れを除去することができる。
【発明を実施するための最良の形態】
【００１１】
図１及び図２に示すように、本発明を実施した磁気ディスクドライブ装置２は、パーソナルコンピュータ（以下、ＰＣ）に装填して使用するカード型の磁気ディスクドライブ装置であり、ドライブユニット３と、カバー４とを備え、ディスクカートリッジ５のディスク板６にデータの記録再生を行う。
【００１２】
ディスクカートリッジ５は、リムーバブルタイプのディスクカートリッジであって、フレキシブル磁気ディスクであるディスク板（磁気ディスク）６が、シェル７内部に回転自在に収納されている。ディスク板６は、両面に磁性層がコーティングされている。シェル７には、略Ｖ字状の切欠き７ａが形成されており、この切欠き７ａからディスク板６が露呈する。シェル７内部には、切欠き７ａから露呈するディスク板６を遮蔽する遮蔽位置と露呈する露呈位置との間で回転自在なディスクシャッタ８が設けられている。ディスクシャッタ８は、通常時（ドライブユニット３に装填されていないとき）には、ロック機構（図示せず）により、遮蔽位置にロックされている。ディスクカートリッジ５を、ドライブユニット３に装填すると、ロック機構によるロックが解除され、ディスクシャッタ８が露呈位置まで回転し、ディスク板６が切欠き７ａから露呈する（図３参照）。
【００１３】
ドライブユニット３は、箱状のケース１０に、ディスク板６を図中Ａ方向に回転させるためのモータ１１、先端部に磁気ヘッド１２が取り付けられたサスペンションアーム１３、磁気ヘッド１２のクリーニングを行うためのクリーニング部材１４、開閉シャッタ１５が設けられて構成されている。また、ケース１０の後端部には、ドライブユニット３をＰＣに装填したときに、ＰＣと電気的に接続するための接続部１６が設けられている。
【００１４】
ケース１０の図２における前面には、ディスクカートリッジ５の入口となる切欠き１０ａが形成されている。ケース１０にカバー４を取り付けると、切欠き１０ａからディスクカートリッジ５の挿入が可能となる。開閉シャッタ１５は、切欠き１０ａを開放する位置と遮蔽する位置とで開閉自在に設けられており、バネ（図示せず）により開放する位置に向けて付勢されている。これにより、切欠き１０ａから磁気ディスクドライブ装置２の内部にゴミ等が侵入するのを防止することができる。
【００１５】
サスペンションアーム１３は、回転軸部１７と、弾性変形可能な薄板金属製の上ロードビーム１８及び下ロードビーム１９とを備え、上ロードビーム１８及び下ロードビーム１９は、後端部が回転軸部１７に取り付けられている。また、上ロードビーム１８の下面先端部及び下ロードビーム１９の上面先端部には、磁気ヘッド１２が取り付けられている。磁気ヘッド１２は、弾性変形する上ロードビーム１８及び下ロードビーム１９により、常に一定の力でディスク板６に押し付けられる方向に付勢される。この付勢力は、詳しくは後述するように、ディスク板６が回転したときのディスク板６とスライダ２２との間の隙間をどの程度にするかにより決定される。
【００１６】
サスペンションアーム１３は、図示しないヴォイスコイルモータ（ＶＣＭ）により、回転軸部１７の軸１７ａを中心に図中Ａ方向及びＢ方向に回転可能に設けられており、磁気ヘッド１２によりディスク板６の最内周部に記録再生を行う最内周部記録再生位置（図４参照）と、ディスク板６から退避した退避位置（図３参照）との間で回転する。サスペンションアーム１３は、制御部２０により駆動が制御される。
【００１７】
図３に示すように、ディスクカートリッジ５を、ドライブユニット３に装填すると、ロック機構（図示せず）によるロックが解除され、ディスクシャッタ８が露呈位置まで回転し、ディスク板６が切欠き７ａから露呈する。このとき、サスペンションアーム１３は、ディスク板６から退避した退避位置に位置する。
【００１８】
ドライブユニット３をＰＣに装填すると、接続部１６を介して、ＰＣと制御部２０とが接続される。ＰＣから送信された駆動信号が制御部２０に入力されると、制御部２０は、駆動信号に応じてサスペンションアーム１３を、図４に示すような最内周部記録再生位置と、退避位置（図３参照）との間で回転させる。
【００１９】
図５に示すように、磁気ヘッド１２は、ヘッド本体２１とスライダ２２とを備え、ヘッド本体２１は、記録再生面２１ａがディスク板６に対向するように、ディスク板６回転方向（図中Ａ方向）におけるスライダ２２の出口側先端に取り付けられている。ヘッド本体２１は、ディスク板６に記録するデータに対応する電気信号を磁界に変換し、ディスク板６からの磁界を電気信号に変換する記録再生素子から構成されている。ヘッド本体２１は、接続ワイヤ（図示せず）により制御部２０に接続されており、制御部２０により駆動が制御され、ディスク板６にデータの記録再生を行う。
【００２０】
スライダ２２は、アルチックと称されるＡｌ，Ｔｉ，Ｃの焼結体で板状に形成され、上ロードビーム１８及び下ロードビーム１９の先端部に取り付けられている。図６に示すように、スライダ２２には、ディスク板６に対向する対向面２２ａと、この対向面２２ａに対してディスク板６との隙間が大きくなるように角度θ１で傾斜された傾斜面２２ｂとが形成されている。対向面２２ａは、その形状により、ディスク板６が回転したときに、上ロードビーム１８及び下ロードビーム１９による付勢に抗して、ディスク板６とスライダ２２との間に発生する空気流の量を決定するものである。本実施形態では、上ロードビーム１８及び下ロードビーム１９による付勢力、対向面２２ａの形状は、ディスク板６と磁気ヘッド１２との隙間が１５ｎｍとなるように設定されている。
【００２１】
傾斜面２２ｂは、ディスク板６回転方向（図中Ａ方向）におけるスライダ２２の入口側である前端側に形成されている。傾斜面２２ｂは、ディスク板６が回転したときに、ディスク板６とスライダ２２との間に空気の流れを発生させるときの空気の導入口であり、その角度θ１としては、１°程度の角度が好適である。なお、本実施形態では、簡易的に角度θ１を１０°として図示している。
【００２２】
図７に示すように、クリーニング部材１４は、退避位置（図３参照）に移動した磁気ヘッド１２をクリーニングするものであり、織布製で板状に形成されている。クリーニング部材１４は、ヘッド本体２１の記録再生面２１ａ及びスライダ２２の対向面２２ａに接触してクリーニングする第１クリーニング部１４ａと、傾斜面２２ｂに接触してクリーニングする第２クリーニング部１４ｂとが形成されている。第１クリーニング部１４ａには、記録再生面２１ａ及び対向面２２ａに平行な第１クリーニング面１４ｃが形成されている。第２クリーニング部には、図中Ｂ方向における入口では対向面２２ａに対して傾斜面２２ｂの角度θ１よりも小さい角度θ２で傾斜し、出口では角度θ１よりも大きい角度θ３で傾斜した導入面１４ｄと、導入面１４ｄの出口から連続して角度θ３で傾斜した第２クリーニング面１４ｅとが形成されている。第２クリーニング面１４ｅは、傾斜面２２ｂよりも大きいサイズで形成されている。なお、角度θ２としては、角度θ１（１°）よりも小さければよく、０°〜０．８°程度が好適である。また、角度θ３としては、角度θ１以上の角度であればよく、１°〜１．２°程度が好適である。なお、本実施形態では、簡易的にθ２を７°、θ３を１２°として図示している。
【００２３】
上記のように構成された磁気ディスクドライブ装置２の作用について説明する。図４に示すように、制御部２０がサスペンションアーム１３を最内周部記録再生位置に回転させた状態では、ディスク板６の回転により、上ロードビーム１８及び下ロードビーム１９のスライダ２２に風が当たる。このとき、スライダ２２の傾斜面２２ｂに風が当たり、ディスク板６と磁気ヘッド１２との間に空気の流れが発生する。これにより、上ロードビーム１８は上側に、下ロードビーム１９は下側に、それぞれ変形し、ディスク板６と磁気ヘッド１２との間に１５ｎｍの隙間が生じる。この状態で、磁気ヘッド１２のヘッド本体２１は、制御部２０により駆動が制御され、ディスク板６にデータの記録再生を行う。
【００２４】
ディスク板６と磁気ヘッド１２との隙間が１５ｎｍのように極小の場合には、ディスク板６の面振れ等により、ディスク板６と磁気ヘッド１２とが接触することがある。接触した場合には、磁気ヘッド１２のヘッド本体２１及びスライダ２２に汚れが付着し、磁気ヘッド１２による記録再生性能が悪化してしまう。このため、制御部２０は、磁気ヘッド１２によりディスク板６に記録再生を行っていないときには、定期的にサスペンションアーム１３を退避位置まで回転させて、クリーニング部材１４で磁気ヘッド１２のクリーニングを行う。
【００２５】
図８に示すように、サスペンションアーム１３を退避位置まで回転させると、ヘッド本体２１の記録再生面２１ａ及びスライダ２２の対向面２２ａは、第１クリーニング面１４ｃに接触してクリーニングされ、スライダ２２の傾斜面２２ｂは、導入面１４ｄ及び第２クリーニング面１４ｅに接触してクリーニングされる。
【００２６】
このように、クリーニング部材１４により、ヘッド本体２１、スライダ２２の対向面２２ａ及び傾斜面２２ｂをクリーニングすることができるから、磁気ヘッド１２による記録再生性能を維持することができる。
【００２７】
さらに、第２クリーニング部１４ｂの第２クリーニング面１４ｅを、傾斜面２２ｂの角度θ１よりも大きい角度θ３で形成したから、傾斜面２２ｂは第２クリーニング面１４ｅに押し付けられるようになるため、第２クリーニング面１４ｅにより確実に傾斜面２２ｂをクリーニングすることができ、より一層確実に磁気ヘッド１２による記録再生性能を維持することができる。また、導入面１４ｄを、入口で傾斜面２２ｂの角度θ１よりも小さい角度θ２で傾斜し、出口で角度θ１よりも大きい角度θ３で傾斜するように形成したから、入口で傾斜面２２ｂが導入面１４ｄに接触して傷つくことがなく、さらには、確実に傾斜面２２ｂを第２クリーニング面１４ｂに導くことができる。
【００２８】
なお、スライダ２２、特に対向面２２ａの形状は、ディスク板６と磁気ヘッド１２との隙間をどの程度のものにするかに応じて適宜変更されるものであり、スライダ２２の形状に応じて、クリーニング部材１４の形状も適宜変更されるものである。
【００２９】
また、上記実施形態では、サスペンションアーム１３の回転軸部１７に、上ロードビーム１８及び下ロードビーム１９を取り付けたが、上ロードビーム１８と下ロードビーム１９とのいずれか一方が取り付けられたものにも本発明は実施可能である。この場合には、クリーニング部材１４の形状も、それに応じて変更する。
【図面の簡単な説明】
【００３０】
【図１】本発明を実施した磁気ディスクドライブ装置とディスクカートリッジとを示す外観斜視図である。
【図２】磁気ディスクドライブ装置を示す分解斜視図である。
【図３】ディスクカートリッジをケース内部に装填した状態のディスクカートリッジとディスク板とサスペンションアームとクリーニング部材と上ロードビームとを示す上面図である。
【図４】サスペンションアームを最内周部記録再生位置に回転させた状態のディスクカートリッジとディスク板とサスペンションアームとクリーニング部材と上ロードビームとを示す上面図である。
【図５】磁気ヘッドと上ロードビームと下ロードビームとを示す斜視図である。
【図６】ヘッド本体とスライダとを示す斜視図である。
【図７】クリーニング部材とヘッド本体とスライダとを示す斜視図である。
【図８】サスペンションアームを退避位置に回転させた状態のクリーニング部材とヘッド本体とスライダとを示す斜視図である。
【符号の説明】
【００３１】
２  磁気ディスクドライブ装置
３  ドライブユニット
４  カバー
５  ディスクカートリッジ
６  ディスク板（磁気ディスク）
１０  ケース
１１  モータ
１２  磁気ヘッド
１３  サスペンションアーム
１４  クリーニング部材
１４ａ  第１クリーニング部
１４ｂ  第２クリーニング部
１４ｃ  第１クリーニング面
１４ｄ  導入面
１４ｅ  第２クリーニング面
１５  開閉シャッタ
１６  接続部
１７  回転軸部
１８  上ロードビーム
１９  下ロードビーム
２０  制御部
２１  ヘッド本体
２１ａ  記録再生面
２２  スライダ
２２ａ  対向面
２２ｂ  傾斜面
【図１】
2006302412.tif 000003
【図２】
2006302412.tif 000004
【図３】
2006302412.tif 000005
【図４】
2006302412.tif 000006
【図５】
2006302412.tif 000007
【図６】
2006302412.tif 000008
【図７】
2006302412.tif 000009
【図８】
2006302412.tif 000010